(57)【要約】【課題】聴力検査・測定においては例えばパソコンで行った場合、特に検査・測定に重要な音圧が正確に出力することは難しかった。【解決手段】耳近傍に音監視手段を設けておき所定の周波数・音圧をパーソナルコンピューター等からスピーカー等を介して出力し前述の音監視手段の音センサーで出力された音を取得し、この取得した音と出力したい所定周波数・音圧と比較して出力の調整を行うことにより検査・測定音の正確な周波数・音圧を出力可能にする。【選択図】  図１
2008125587.tif 000002
【特許請求の範囲】
【請求項１】
所定の音を発生させて聴力検査を行う聴力検査・測定装置、方法であって被検者の耳の近傍に音を監視する発生音監視手段を設け、さらに所定の周波数および音圧の検査音を発生する所定周波数・音圧発生手段、前記監視手段により前記所定周波数・音圧発生手段により発生した音を監視し音を調整する調整制御手段を有していることを特徴とする聴力検査・測定装置、聴力検査・測定方法
【請求項２】
前記所定周波数・音圧発生手段により発生した音を監視する前記監視手段は音特性取得手段により周波数又は音圧又は両者を監視し、前記音特性取得手段により取得した周波数又は音圧又は両者が所定の周波数又は音圧又は両者の差を測定し前記調整制御手段により所定の周波数あるいは音圧あるいは両者を調整制御することを特徴とする特許請求範囲第1項記載の聴力検査・測定装置、聴力検査・測定方法
【請求項３】
前記被検者の耳の近傍に音を監視する監視手段は被検者の頭部あるいは耳あるいは眼鏡に装着され被検者の耳穴近傍に設けられた音特性取得手段であることを特徴とする特許請求範囲第1項記載の聴力検査・測定装置、聴力検査・測定方法
【請求項４】
前記監視手段と前記所定周波数・音圧発生手段、前記調整制御手段は互いに接続通信する接続通信手段を有することを特徴とする特許請求範囲第1項記載の聴力検査・測定装置、聴力検査・測定方法
【請求項５】
前記接続通信手段は無線あるいは有線接続通信であることを特徴とする特許請求範囲第４項記載の聴力検査・測定装置、聴力検査・測定方法
【請求項６】
前記聴力検査・測定装置、聴力検査・測定方法はパーソナルコンピューターを使い、前記監視装置とパーソナルコンピューターは通信を行い、前記所定周波数・音圧発生手段、前記監視手段により前記所定周波数・音圧発生手段により発生した音を監視し音を調整する調整制御手段は該パーソナルコンピュータにより前記所定周波数・音圧発生手段、調整制御手段はソフトをインストールし、該パーソナルコンピューターの備え付けの音源ボードを使用し、さらに前記監視手段と前記ソフトおよび音源ボードを使用して発生した音の周波数、音圧は、所定の周波数、音圧の範囲に入るように校正する校正手段を有していることを特徴とする特許請求範囲第1項記載の聴力検査・測定装置、聴力検査・測定方法
【請求項７】
前記通信は音監視装置とパーソナルコンピューター間でデジタル通信またはマイク端子あるいはライン入力端子といったアナログ入力、あるいはその両者で行われることを特徴とする特許請求範囲第6項記載の聴力検査・測定装置、聴力検査・測定方法
【請求項８】
前記パーソナルコンピューターは蓄積手段を有し前記聴力検査・測定システムから取り込んだデータを蓄積することを特徴とする特許請求範囲第６項記載の聴力検査・測定装置、聴力検査・測定方法
【請求項９】
前記校正手段は前記所定周波数・音圧発生手段より所定の周波数、音圧を音源ボードに出力し、前記監視手段により前記音源ボードを介してスピーカーに出力した音を前記監視手段の音特性取得手段により取得し前記所定の周波数、音圧と比較し前記所定の周波数、音圧に調整することにより校正することを特徴とする特許請求範囲第６項記載の聴力検査・測定装置、聴力検査・測定方法
【請求項１０】
前記音特性取得手段は基準信号生成手段を有していることを特徴とし、前記基準信号生成手段によりパーソナルコンピューターの入力の校正を行うことを特徴とする特許請求範囲第９項記載の聴力検査・測定装置、聴力検査・測定方法
【請求項１１】
前記音特性取得手段は音センサー及び事前調整手段を有しており音センサーのばらつきを事前に調整していることを特徴特許請求範囲第９項記載の聴力検査・測定装置、聴力検査・測定方法
【請求項１２】
前記聴力検査・測定装置、聴力検査・測定方法はパーソナルコンピューターを使い前記監視装置に設けてある音特性取得手段のデータは入出力機器を通じてパーソナルコンピューターに取り込まれ該取り込まれたデータにより前記所定周波数・音圧発生手段により発生された音は前記調整制御手段により調整制御されることを特徴とする特許請求範囲第1項記載の聴力検査・測定装置、聴力検査・測定方法
【請求項１３】
前記パーソナルコンピューターはインターネットのネットワークを介して遠隔地から聴力検査・測定が可能であることを特徴とする特許請求範囲第７項あるいいは第９項記載の聴力検査・測定装置、聴力検査・測定方法
【請求項１４】
前記聴力検査装置・方法は被聴力検査者が聞こえるかどうかの判定をする判定手段を有することを特徴とする特許請求範囲第１項記載の聴力検査・測定装置、聴力検査・測定方法
【請求項１５】
前記聴力検査は前記パーソナルコンピューターのキーボード、マウス、表示画面に備え付けられたタッチパネルから選ばれた少なくとも１つにより操作することを特徴とする特許請求範囲第６項記載の聴力検査・測定装置、聴力検査・測定方法
【請求項１６】
前記聴力検査・測定装置、聴力検査・測定方法はパーソナルコンピューターと独立しており、前記聴力検査・測定装置、聴力検査・測定方法はパーソナルコンピューターと連携することが可能であり、前記所定の周波数および音圧の検査音を発生する所定周波数・音圧発生手段、前記監視手段はパーソナルコンピューターと独立した聴力検査・測定ボックスに設置され、前記パーソナルコンピューターと前記独立した聴力検査・測定ボックスは通信手段によりパーソナルコンピューターから操作制御され、さらに聴力検査・測定ボックスからデータを取り込む通信手段を有することを特徴とする特許請求範囲第1項記載の聴力検査・測定装置、聴力検査・測定方法
【請求項１７】
前記パーソナルコンピューターは蓄積手段を有し前記聴力検査・測定ボックスから取り込んだデータを蓄積することを特徴とする特許請求範囲第Ａ１項記載の聴力検査・測定装置、聴力検査・測定方法
【請求項１８】
所定の音を発生させて聴力検査をパーソナルコンピューターと連携して行う聴力検査・測定装置、方法であって所定の周波数および音圧の検査音を発生する所定周波数・音圧発生手段をパーソナルコンピューターと独立した聴力検査・測定ボックスに設置し、前記パーソナルコンピューターと前記独立した聴力検査・測定ボックスは通信手段によりパーソナルコンピューターから操作制御され、さらに聴力検査・測定ボックスからデータを取り込む通信手段を有することを特徴とする聴力検査・測定装置、聴力検査・測定方法
【請求項１９】
前記パーソナルコンピューターは蓄積手段を有し前記聴力検査・測定ボックスから取り込んだデータを蓄積することを特徴とする特許請求範囲第１８項記載の聴力検査・測定装置、聴力検査・測定方法
【請求項２０】
前記聴力検査・測定ボックスには被検者の耳の近傍に音を監視する発生音監視手段を設け、さらに所定の周波数および音圧の検査音を発生する所定周波数・音圧発生手段、前記監視手段により前記所定周波数・音圧発生手段により発生した音を監視し音を調整する調整制御手段を有していることを特徴とする特許請求範囲第１８項記載の聴力検査・測定装置、聴力検査・測定方法
【請求項２１】
前記所定周波数・音圧発生手段により発生した音を監視する前記監視手段は音特性取得手段により周波数あるいは音圧あるいは両者を監視し、前記センサーにより取得した周波数あるいは音圧あるいは両者が所定の周波数あるいは音圧あるいは両者かどうか測定し前記調整制御手段により所定の周波数あるいは音圧あるいは両者に調整制御することを特徴とする特許請求範囲第１９項記載の聴力検査・測定装置、聴力検査・測定方法
【請求項２２】
前記被検者の耳の近傍に音を監視する監視手段は被検者の頭部あるいは耳あるいは眼鏡に装着され被検者の耳近傍に設けられた音特性取得手段であることを特徴とする特許請求範囲第２０項記載の聴力検査・測定装置、聴力検査・測定方法
【請求項２３】
前記監視手段と前記所定周波数・音圧発生手段、前記調整制御手段は互いに接続通信する接続通信手段を有することを特徴とする特許請求範囲第２０項記載の聴力検査・測定装置、聴力検査・測定方法
【請求項２４】
前記接続通信手段は無線接続通信であることを特徴とする特許請求範囲第２２項記載の聴力検査・測定装置、聴力検査・測定方法
【請求項２５】
前記聴力検査・測定ボックスには聴力検査測定用ヘッドフォンを有していることを特徴とする特許請求範囲第２３項記載の聴力検査・測定装置、聴力検査・測定方法
【請求項２６】
前記聴力検査装置・方法は前記聴力検査・測定ボックスに被検者が聞こえるかどうかの判定をする判定手段を有することを特徴とする特許請求範囲第１８項記載の聴力検査・測定装置、聴力検査・測定方法
【請求項２７】
前記聴力検査は前記パーソナルコンピューターのキーボード、マウス、表示画面に備え付けられたタッチパネルから選ばれた少なくとも１つにより操作することを特徴とする特許請求範囲第１８項記載の聴力検査・測定装置、聴力検査・測定方法
【請求項２８】
所定の周波数・音圧の音を発生させて聴力検査を行う聴力検査装置、方法であって予め被検者の耳の位置を決定し前記決定した耳の位置に音を監視する発生音監視手段を設け、さらに所定の周波数および音圧の検査音を発生する所定周波数・音圧発生手段を設け、前記監視手段により前記所定周波数・音圧発生手段により発生した音を監視し監視した結果を基に音を調整する調整手段、前記調整した調整値を記憶する音調整記憶手段を設け、さらに前記耳の位置に被検者を配置し前記音調整記憶手段をよびだし所定の周波数、音圧を出力し前記耳の位置で所定の周波数、音量を前記調整記憶手段から呼び出した調整データにより再生することを特徴とする聴力検査・測定装置、聴力検査・測定方法
【請求項２９】
前記所定周波数・音圧発生手段により発生した音を監視する前記監視手段は音特性取得手段により周波数あるいは音圧あるいは両者を監視し、前記音特性取得手段により取得した周波数あるいは音圧あるいは両者が所定の周波数あるいは音圧あるいは両者の差を測定し前記調整制御手段により所定の周波数あるいは音圧あるいは両者を調整制御することを特徴とする特許請求範囲第２７項記載の聴力検査・測定装置、聴力検査・測定方法
【請求項３０】
前記監視手段と前記所定周波数・音圧発生手段、前記調整制御手段は互いに接続通信する接続通信手段を有することを特徴とする特許請求範囲第２７項記載の聴力検査・測定装置、聴力検査・測定方法
【請求項３１】
前記接続通信手段は無線あるいは有線接続通信であることを特徴とする特許請求範囲第２９項記載の聴力検査・測定装置、聴力検査・測定方法
【請求項３２】
前記聴力検査・測定装置、聴力検査・測定方法はパーソナルコンピューターを使い、前記監視装置とパーソナルコンピューターは通信を行い、前記所定周波数・音圧発生手段、前記監視手段により前記所定周波数・音圧発生手段により発生した音を監視し音を調整する調整制御手段は該パーソナルコンピュータにより前記所定周波数・音圧発生手段、調整制御手段はソフトをインストールし、該パーソナルコンピューターの備え付けの音源ボードを使用し、さらに前記監視手段と前記ソフトおよび音源ボードを使用して発生した音の周波数、音圧は、所定の周波数、音圧の範囲に入るように校正する校正手段を有していることを特徴とする特許請求範囲第２７項記載の聴力検査・測定装置、聴力検査・測定方法
【請求項３３】
前記通信は音監視装置とパーソナルコンピューター間でデジタル通信またはマイク端子あるいはライン入力端子、あるいはその両者で行われることを特徴とする特許請求範囲第３１項記載の聴力検査・測定装置、聴力検査・測定方法
【請求項３４】
前記パーソナルコンピューターは蓄積手段を有し前記聴力検査・測定ボックスから取り込んだデータを蓄積することを特徴とする特許請求範囲第３１項記載の聴力検査・測定装置、聴力検査・測定方法
【請求項３５】
前記校正手段は前記所定周波数・音圧発生手段より所定の周波数、音圧を音源ボードに出力し、前記監視手段により前記音源ボードを介してスピーカーに出力した音を前記監視手段の音特性取得手段により取得し前記所定の周波数、音圧と比較し前記所定の周波数、音圧に調整することにより校正することを特徴とする特許請求範囲第３１項記載の聴力検査・測定装置、聴力検査・測定方法
【請求項３６】
前記音特性取得手段は基準信号生成手段を有していることを特徴とし、前記基準信号生成手段によりパーソナルコンピューターの入力の校正を行うことを特徴とする特許請求範囲第３４項記載の聴力検査・測定装置、聴力検査・測定方法
【請求項３７】
前記音特性取得手段は音センサー及び事前調整手段を有しており音センサーのばらつきを事前に調整していることを特徴特許請求範囲第３４項記載の聴力検査・測定装置、聴力検査・測定方法
【請求項３８】
前記パーソナルコンピューターは蓄積手段を有し前記聴力検査・測定ボックスから取り込んだデータを蓄積することを特徴とする特許請求範囲第３１項記載の聴力検査・測定装置、聴力検査・測定方法
【請求項３９】
前記聴力検査・測定装置、聴力検査・測定方法はパーソナルコンピューターを使い前記監視装置に設けてある音特性取得手段のデータは入出力機器を通じてパーソナルコンピューターに取り込まれ該取り込まれたデータにより前記所定周波数・音圧発生手段により発生された音は前記調整制御手段により調整制御されることを特徴とする特許請求範囲第２７項記載の聴力検査・測定装置、聴力検査・測定方法
【請求項４０】
前記パーソナルコンピューターはインターネットのネットワークを介して遠隔地から聴力検査・測定が可能であることを特徴とする特許請求範囲第７項あるいは第３５項記載の聴力検査・測定装置、聴力検査・測定方法
【請求項４１】
前記監視手段は前記監視手段により取得した音を所定周波数によりフィルタリングして抽出し抽出した音によって監視することを特徴とする特許請求範囲第１項あるいは第１９項あるいは第２７項記載の聴力検査・測定装置、聴力検査・測定方法
【請求項４２】
前記校正手段は前記監視手段により取得した音を所定周波数によりフィルタリングして抽出し抽出した音によって校正することを特徴とする特許請求範囲第９項あるいは第３４項記載の聴力検査・測定装置、聴力検査・測定方法
【発明の詳細な説明】
【技術分野】
【０００１】
本発明は個人の聴覚特性を簡便に検査・測定する装置および、聴力検査・測定方法に関する。
【背景技術】
【０００２】
従来特に難聴者向けに各種検査・測定装置が提案されてきているが、簡便に個人の聴力を正確に検査・測定する方法はなかったというのが現状であり、測定精度にも限界があった。
【０００３】
例えば日本国特許第３３７１１０５号、特開２００６−２０９０６等においてはインターネット通信を利用した聴力検査装置が示されており、自宅でも簡便に聴力を検査可能となっているが、現実問題としてパーソナルコンピューターの設定（ボリュームの大きさ）、スピーカー等の音響機器の配置等により正確を期することは難しかった。
【０００４】
また特開２００３−１０２７０５においては、音出力手段から検査音を出力させると共に、検出手段により検出される入力信号レベルが基準値と所定の関係になるように検査音の出力を較正するような構成をとっているが、例えば子供のように動き回る被検者などの場合にはスピーカーからの位置関係が一定でなくなり実際の耳で聞こえる音圧が所定の音ではなくなる可能性がある。
【０００５】
【特許文献１】特許第３３７１１０５号
【０００６】
【特許文献２】特開２００３−１０２７０５
【０００７】
【特許文献３】特開２００６−２０９０６
【発明の開示】
【発明が解決しようとする課題】
【０００８】
従来のシステムにおいては特にパーソナルコンピューター等を使う場合においてもそれぞれの機器の特性によって所定の周波数、音圧を正確に再生できているかどうかは疑わしかった。
【０００９】
すなわち被検者の耳の穴で所定の周波数、音圧が出ているかを実現できていることが少なかったのが実情である。
【課題を解決するための手段】
【００１０】
前述の課題を解決するために本発明者らは鋭意研究の結果以下の手段をとった。すなわち所定の音を発生させて聴力検査を行う聴力検査・測定装置、方法であって被検者の耳の近傍に音を監視する発生音監視手段を設け、さらに所定の周波数および音圧の検査音を発生する所定周波数・音圧発生手段、この監視手段により前記所定周波数・音圧発生手段により発生した音を監視し音を調整する調整制御手段を設けておけばよい。
【００１１】
上述のシステムによって所定の周波数、音圧の音が場所によらず常に一定状態で出すことが可能となる。
【００１２】
前述の所定周波数・音圧発生手段により発生した音を監視する前述の監視手段は音特性取得手段により周波数あるいは音圧あるいは両者を監視し、前述の音特性取得手段により取得した周波数あるいは音圧あるいは両者が所定の周波数あるいは音圧あるいは両者の差を測定し前述の調整制御手段により所定の周波数あるいは音圧あるいは両者を調整制御するようにすればよい。そして必要によりこの監視手段は監視手段により取得した音を所定周波数によりフィルタリングして抽出し抽出した音によって監視するようにすればノイズ等の外乱から影響を少なくすることが可能となる。
【００１３】
そして被検者の耳の近傍に音を監視する監視手段は被検者の頭部あるいは耳あるいは眼鏡に装着され被検者の耳穴近傍に設けられた音特性取得手段とすれがよい。もちろん耳穴近傍であれば例えば子供が喜ぶキャラクター帽子の耳穴近傍部分、ヘッドギアの耳穴近傍部分、耳飾の耳穴近傍付近に設ければよく耳穴からの距離は１０ｃｍ以内さらに好ましくは５ｃｍいないとすればよい。
【００１４】
そして前述の監視手段と前記所定周波数・音圧発生手段、前述の調整制御手段は互いに離れている場合には接続通信する接続通信手段を設けておけばよく、この通信手段は例えば、ブルートゥース、無線ＬＡＮ、赤外線通信等の光通信等の無線通信手段あるいはケーブル等をつないだ有線通信手段を用いればよい。
【００１５】
前述の聴力検査・測定装置、聴力検査・測定方法はパーソナルコンピューターを使い、前述の監視装置とパーソナルコンピューターは上記のように通信を行い、前述の所定周波数・音圧発生手段、前述の監視手段により前述の所定周波数・音圧発生手段により発生した音を監視し音を調整する調整制御手段はこのパーソナルコンピューターにより前述の所定周波数・音圧発生手段、調整制御手段はソフトをインストールし、該パーソナルコンピューターの備え付けの音源ボードを使用し、さらに前述の監視手段と前述のソフトおよび音源ボードを使用して発生した音の周波数、音圧は、所定の周波数、音圧の範囲に入るように校正する校正手段を設けておけばよい。
【００１６】
前述の通信は音監視装置とパーソナルコンピューター間でＵＳＢポートといった有線回線あるいはブルートゥース、無線ＬＡＮといった無線デジタル通信またはパーソナルコンピューターが持っているマイク入力端子あるいはライン入力端子、あるいはその前述のデジタル回線、マイク入力端子といったアナログの両者で行われるようにすればよい。
【００１７】
前述のパーソナルコンピューターは蓄積手段を設けておきこの聴力検査・測定システムから取り込んだデータを蓄積するようにしておけばよい。こうすることによって被検者のデータが蓄積され過去からの聴力特性の履歴を簡単に取り出すことができるようになる。
【００１８】
被検者の校正手段は被検者所定周波数・音圧発生手段より所定の周波数、音圧を音源ボードに出力し、前述の監視手段により前述の音源ボードを介してスピーカーに出力した音を前述の監視手段の音特性取得手段により取得しこの所定の周波数、音圧と比較し前述の所定の周波数、音圧に調整することにより校正することが可能となる。そして必要に応じてこの校正手段はこの監視手段により取得した音を所定周波数によりフィルタリングして抽出し抽出した音によって校正するようにすれば外乱の影響を受けにくくなる。
【００１９】
また前述の音特性取得手段は取得した音信号を出力する必要があるが、各パーソナルコンピューターによって入力信号取得部にばらつきがあるのでこれを校正する必要がある。前述の音特性取得手段は基準信号生成手段を設けておけばよい。こうすることによってパーソナルコンピューターのアナログ入力系の個体差を修正することが可能となる
【００２０】
また上述のように音特性取得手段は音の取得により出力信号にばらつきがあっては正確な調整・制御は不可能となる。そこで前述の音特性取得手段は音センサー及び事前調整手段を設けておく。こうすることによって例えば１０００Ｈｚ、９４ｄＢの音を取得した時、音センサーによってばらつきがあっても事前調整手段（１０００Ｈｚ、９４ｄＢを音センサーに入力した時にポテンショメーター等により調整し同様な電気出力が出るようにする）同じ電気出力を可能にすることができる。
【００２１】
前述の聴力検査・測定装置、聴力検査・測定方法はパーソナルコンピューターを使い前述の監視装置に設けてある音特性取得手段のデータは入出力機器を通じてパーソナルコンピューターに取り込まれ該取り込まれたデータにより前述の所定周波数・音圧発生手段により発生された音は前述の調整制御手段により調整制御すればよい。
【００２２】
さらにパーソナルコンピューターはインターネットのネットワークを介して遠隔地から聴力検査・測定が可能であるようにしておけばよい。すなわちその場所にいない人がネットワークを介してパーソナルコンピューターで所望の周波数、音圧の音を出力し、被検者の聴力検査・測定を行う。
【００２３】
前述の聴力検査装置・方法は被聴力検査者が聞こえるかどうかの判定をする判定手段を設けておきこの判定手段によって被検者が聞こえるかどうか判断すればよい。
【００２４】
前述の聴力検査はパーソナルコンピューターのキーボード、マウス、表示画面に備え付けられたタッチパネルから選ばれた少なくとも１つにより操作するようにすればよい。こうすることによって例えば被検者が表示画面のタッチパネルに従って自分の聴力の検査・測定することが可能となる。同様に被検者と異なったオペレーターが操作し被検者の聴力を検査・測定してもよい。
【００２５】
前述の聴力検査・測定装置、聴力検査・測定方法はパーソナルコンピューターと独立しており、この前記聴力検査・測定装置、聴力検査・測定方法はパーソナルコンピューターと連携することが可能であり、この所定の周波数および音圧の検査音を発生する所定周波数・音圧発生手段、監視手段はパーソナルコンピューターと独立した聴力検査・測定ボックスに設置され、前述のパーソナルコンピューターと前述の独立した聴力検査・測定ボックスは通信手段によりパーソナルコンピューターから操作制御され、さらに聴力検査・測定ボックスからデータを取り込む通信手段を設けておけばよい。
【００２６】
前述のパーソナルコンピューターは蓄積手段を有し前記聴力検査・測定ボックスから取り込んだデータを蓄積するようにしておけばよい。
【００２７】
所定の音を発生させて聴力検査をパーソナルコンピューターと連携して行う聴力検査・測定装置、方法であって所定の周波数および音圧の検査音を発生する所定周波数・音圧発生手段をパーソナルコンピューターと独立した聴力検査・測定ボックスに設置し、前述のパーソナルコンピューターと前述の独立した聴力検査・測定ボックスは通信手段によりパーソナルコンピューターから操作制御され、さらに聴力検査・測定ボックスからデータを取り込む通信手段を設けておけばよい。
【００２８】
前述のパーソナルコンピューターは蓄積手段を有しこの聴力検査・測定ボックスから取り込んだデータを蓄積するようにしておけば被検者の過去の聴力検査・測定の履歴等も追うことが可能となる。
【００２９】
前述の聴力検査・測定ボックスには被検者の耳の近傍に音を監視する発生音監視手段を設け、さらに所定の周波数および音圧の検査音を発生する所定周波数・音圧発生手段、前述の監視手段により前述の所定周波数・音圧発生手段により発生した音を監視し音を調整する調整制御手段を設けておけばよい。そして必要によりこの監視手段は監視手段により取得した音を所定周波数によりフィルタリングして抽出し抽出した音によって監視するようにすればノイズ等の外乱から影響を少なくすることが可能となる。
【００３０】
前述の所定周波数・音圧発生手段により発生した音を監視する前述の監視手段は音特性取得手段により周波数又は音圧又は両者を監視し、前述の音特性取得手段により取得した周波数又は音圧または両者が所定の周波数または音圧あるいは両者との差を測定し前述の調整制御手段により所定の周波数または音圧または両者を調整制御するようにすればよい。
【００３１】
前述の被検者の耳の近傍に音を監視する監視手段は被検者の頭部あるいは耳あるいは眼鏡に装着され被検者の耳穴近傍に設けられた音特性取得手段であればよい。
【００３２】
そして被検者の耳の近傍に音を監視する監視手段は被検者の頭部あるいは耳あるいは眼鏡に装着され被検者の耳穴近傍に設けられた音特性取得手段とすれがよい。もちろん耳穴近傍であれば例えば子供が喜ぶキャラクター帽子の耳穴近傍部分、ヘッドギアの耳穴近傍部分、耳飾の耳穴近傍付近に設ければよく耳穴からの距離は１０ｃｍ以内さらに好ましくは５ｃｍいないとすればよい。
【００３３】
前述の監視手段と前述の所定周波数・音圧発生手段、調整制御手段は互いに接続通信する接続通信手段を設けておけばよくこの通信手段は例えば、ブルートゥース、無線ＬＡＮ、赤外線通信等の光通信等の無線通信手段あるいはケーブル等をつないだ有線通信手段を用いればよい。
【００３４】
前述の聴力検査・測定ボックスには聴力検査測定用ヘッドフォンを設けておいてもよくこのヘッドフォンの場合は例えばラウドネス曲線に基づいてウエイトをかけて出力すればよい。聴力検査測定用としてはヘッドフォン、スピーカーに限られる物ではなく気導受話器、インサートイヤホンなどを用いてもよい。
【００３５】
前述の聴力検査装置・方法は前記聴力検査・測定ボックスに被検者が聞こえるかどうかの判定をする判定手段を設けておけばよい。
【００３６】
前述の聴力検査は前記パーソナルコンピューターのキーボード、マウス、表示画面に備え付けられたタッチパネルから選ばれた少なくとも１つにより操作するようにしておけばよい。こうすることによって例えば被検者が表示画面のタッチパネルに従って自分の聴力の検査・測定することが可能となる。同様に被検者と異なったオペレーターが操作し被検者の聴力を検査・測定してもよい。
【００３７】
次に他の場合すなわち被検者の耳穴の位置を想定し検査音の調整・校正する方法について説明する。所定の周波数・音圧の音を発生させて聴力検査を行う聴力検査装置、方法であって予め被検者の耳の位置を決定し前述の決定した耳穴の位置に音を監視する発生音監視手段を設け、さらに所定の周波数および音圧の検査音を発生する所定周波数・音圧発生手段を設け、前述の監視手段により前述の所定周波数・音圧発生手段により発生した音を監視し監視した結果を基に音を調整する調整手段、前述の調整した調整値を記憶する音調整記憶手段を設け、さらに前記耳穴の位置に被検者を配置し前述の音調整記憶手段をよびだし所定の周波数、音圧を出力し前述の耳の位置で所定の周波数、音量を前述の調整記憶手段から呼び出した調整データにより再生するようにすればよい。そして必要によりこの監視手段は監視手段により取得した音を所定周波数によりフィルタリングして抽出し抽出した音によって監視するようにすればノイズ等の外乱から影響を少なくすることが可能となる。
【００３８】
前述の所定周波数・音圧発生手段により発生した音を監視する前述の監視手段は音特性取得手段により周波数あるいは音圧あるいは両者を監視し、前述の音特性取得手段により取得した周波数あるいは音圧あるいは両者が所定の周波数あるいは音圧あるいは両者の差を測定し前述の調整制御手段により所定の周波数あるいは音圧あるいは両者を調整制御するようにすればよい。
【００３９】
前述の監視手段と所定周波数・音圧発生手段、調整制御手段は互いに接続通信する接続通信手段を設けておけばよくこの通信手段は例えば、ブルートゥース、無線ＬＡＮ、赤外線通信等の光通信等の無線通信手段あるいはケーブル等をつないだ有線通信手段を用いればよい。
【００４０】
前述の聴力検査・測定装置、聴力検査・測定方法はパーソナルコンピューターを使い、前述の監視装置とパーソナルコンピューターは通信を行い、前述の所定周波数・音圧発生手段、監視手段により前述の所定周波数・音圧発生手段により発生した音を監視し音を調整する調整制御手段は該パーソナルコンピュータにより前述の所定周波数・音圧発生手段、調整制御手段はソフトをインストールし、該パーソナルコンピューターの備え付けの音源ボードを使用し、さらに前記監視手段と前述のソフトおよび音源ボードを使用して発生した音の周波数、音圧は、所定の周波数、音圧の範囲に入るように校正する校正手段を設けておけばよい。
【００４１】
前述の通信は音監視装置とパーソナルコンピューター間でＵＳＢポートといった有線回線あるいはブルートゥース、無線ＬＡＮといった無線デジタル通信またはパーソナルコンピューターが持っているマイク入力端子あるいはライン入力端子、あるいはその前述のデジタル回線、マイク入力端子といったアナログの両者で行われるようにすればよい。
【００４２】
前述のパーソナルコンピューターは蓄積手段を設けておきこの聴力検査・測定システムから取り込んだデータを蓄積するようにしておけばよい。こうすることによって被検者のデータが蓄積され過去からの聴力特性の履歴を簡単に取り出すことができるようになる。
【００４３】
被検者の校正手段は被検者所定周波数・音圧発生手段より所定の周波数、音圧を音源ボードに出力し、前述の監視手段により前述の音源ボードを介してスピーカーに出力した音を前述の監視手段の音特性取得手段により取得しこの所定の周波数、音圧と比較し前述の所定の周波数、音圧に調整することにより校正することが可能となる。そして必要に応じてこの校正手段はこの監視手段により取得した音を所定周波数によりフィルタリングして抽出し抽出した音によって校正するようにすれば外乱の影響を受けにくくなる。
【００４４】
また前述の音特性取得手段は取得した音信号を出力する必要があるが、各パーソナルコンピューターによって入力信号取得部にばらつきがあるのでこれを校正する必要がある。前述の音特性取得手段は基準信号生成手段を設けておけばよい。こうすることによってパーソナルコンピューターのアナログ入力系の個体差を修正することが可能となる
【００４５】
また上述のように音特性取得手段は音の取得により出力信号にばらつきがあっては正確な調整・制御は不可能となる。そこで前述の音特性取得手段は音センサー及び事前調整手段を設けておく。こうすることによって例えば１０００Ｈｚ、９４ｄＢの音を取得した時、音センサーによってばらつきがあっても事前調整手段（１０００Ｈｚ、９４ｄＢを音センサーに入力した時にポテンショメーター等により調整し同様な電気出力が出るようにする）同じ電気出力を可能にすることが可能となる。
【００４６】
前述の聴力検査・測定装置、聴力検査・測定方法はパーソナルコンピューターを使い前述の監視装置に設けてある音特性取得手段のデータは入出力機器を通じてパーソナルコンピューターに取り込まれ該取り込まれたデータにより前述の所定周波数・音圧発生手段により発生された音は前述の調整制御手段により調整制御すればよい。
【００４７】
さらにパーソナルコンピューターはインターネットのネットワークを介して遠隔地から聴力検査・測定が可能であるようにしておけばよい。すなわちその場所にいない人がネットワークを介してパーソナルコンピューターで所望の周波数、音圧の音を出力し、被検者の聴力検査・測定を行う。
【００４８】
前述の聴力検査装置・方法は被聴力検査者が聞こえるかどうかの判定をする判定手段を設けておきこの判定手段によって被検者が聞こえるかどうか判断すればよい。
【００４９】
前述の聴力検査はパーソナルコンピューターのキーボード、マウス、表示画面に備え付けられたタッチパネルから選ばれた少なくとも１つにより操作するようにすればよい。こうすることによって例えば被検者が表示画面のタッチパネルに従って自分の聴力の検査・測定することが可能となる。同様に被検者と異なったオペレーターが操作し被検者の聴力を検査・測定してもよい。
【発明の効果】
【００５０】
以上説明したように本発明によれば被検者の耳の穴の付近で所定の周波数、音圧が正確に再生することができるので正確な聴力測定が可能となる。また子供等じっとしていない被験者に対しても場所によることなく正確な測定が可能となる。またパーソナルコンピューターを使うことにより安価に正確な聴力測定を実現することが可能となる。
【００５１】
さらにパーソナルコンピューターにおいてはそれぞれの機器において発生する音圧などの音特性がバラバラであるが本発明によればそれぞれの機器において校正を行うため正確な検査・測定が可能となる。またヘッドフォンを使わない場合（一般的なユーザーが音声を聞く状態）においてもスピーカー等と被検者の位置に関係なく被検者の耳穴の位置で正確な音の特性を出すことが可能となり、聴力検査・測定が専用の部屋といったものが必要なくなり通常の人が通常の場所で簡単に取り扱うことが可能となるばかりでなく、一般に普及しているパーソナルコンピューターを使うことができるので安価で提供可能となる、さらにパーソナルコンピューターに聴力検査・測定のデータを蓄積していけば被検者の聴力の推移の状況も容易に追跡することが可能となる。
【発明を実施するための最良の形態】
【００５２】
以下に図に基づいて具体的に説明していく。以下図に基づいてさらに詳しく説明していく。本発明の第1の実施例を示す。人の耳の穴の近傍に音特性取得手段を設けておきスピーカーの音を耳の近傍の音特性取得手段の結果により精密に所定の周波数・音圧を再生し、聴力の検査を行うものである。図1は音特性取得手段を人の耳の近傍に設置している様子を示した図であり、１０１は人の頭、１０２は耳（穴）、１０３はヘッドギアであり、１０４は音特性取得手段である。ここではヘッドギアにセンサーを設けたがこれに限られるものではなく例えば子供が喜ぶキャラクター帽子の耳穴近傍にセンサーを取り付けてもよい。あるいはヘッドフォン、眼鏡のつるの部分等でもよい。
【００５３】
図２は図１の耳穴近傍に音特性取得手段を設置した場合のシステム概要を示したものであり、２０４は所定の周波数・音圧の音を発生する装置である。２０６は所定の周波数・音圧発生手段であり２０７は音の調整・制御手段である。図１に示した被検者装置（２０１）に設けられた音特性取得手段２０２において取得したデータを通信手段２０３で２０４の音発生装置の通信手段２０５により受信しそのデータを基にスピーカー２０８の音の制御を行う。すなわちスピーカー２０８から出力された音を被検者装置２０１に設置された音特性取得手段２０２によりフィードバック制御を行っている。
【００５４】
このため被検者の耳穴の部分において所定の周波数・音圧の音の再生が可能となりスピーカーの位置等に関係なく正確な聴力検査が可能となる。
【００５５】
図３にその制御のフローを示したが、３０１において所定の周波数・音圧の選択を行い３０２において所定の周波数・音圧の信号の生成を行う。次に３０３において所定の音の信号から音の生成を行い、３０４で生成した音の増幅をする。この増幅した音を３０５においてスピーカー出力を行う。そして図１の１０４のセンサーにおいて３０６で被験者の耳穴近傍で音のセンシングを行い３０７においてこのセンシングしたデータと最初の所定の信号とセンサー出力の比較を行う。そしてその結果を基に３０８において音量の増減量を決定しその結果をもとに３０４において音の増幅を行う。
【００５６】
ここでは音の大きさ（音圧）のみのフィードバック制御を行っているが、これに限られるものではなく必要に応じて周波数のフィードバック制御を行えばよい。
【００５７】
図４は本システムを実際に使った様子を表している。４０１は操作盤であり、所定の周波数・音圧発生装置を内蔵している。４０２はヘッドギアーであり４０３はヘッドギアに装着された耳穴近傍の音特性取得手段である。４０４は音が聞こえたかどうかの判定装置であり、被験者が音が聞こえた時に押すものである。４０５はスピーカーであり図３に示したようにセンサー４０４により音量が調節され被験者の耳穴近傍で所定の周波数・音圧を再生し正確な聴力測定が可能となる。
【００５８】
図５は本システムを使った聴力測定のフローを示している。まず５０１において所定の周波数・音圧を設定し、４０２で所定の周波数・音圧を再生し被検者が聞き判定を行う。そして聞こえる場合には５０５の音圧を下げるに進み、聞こえない場合には５０４の音圧を上げるに進み５０６で音圧の再設定を行いこのフローを繰り返し臨界点を見つけ出す。ここで検査音は純音、震音（WARBLE  TONE)、バンドノイズから目的に応じて選択すればよい。
【００５９】
次に本実施例をパーソナルコンピューターで実現する方法について説明する。図６はその概要を示したものである。６０１はパーソナルコンピューターであり、６０２はパーソナルコンピューターのマイク入力部、６０３はパーソナルコンピューターのＵＳＢ等の入出力機器部、６０４はパーソナルコンピューターの音声出力部である。６０５は図１の１０４の音特性取得手段であり６０６はスピーカーである。ここで必要に応じてスピーカーに高品質なアンプを設置しておけばパーソナルコンピューターの音源ボードの品質に問題があっても高品質な音をスピーカーから出力することが可能となる。６０７は被検者が判定する判定装置であり、聞こえた場合６０８のボタンを押すことによって聞こえることを認識する。
【００６０】
マイク入力特性、音源ボード特性等が異なったり各種設定が異なったりするので図６のケースの場合校正を行う必要がある。そこで次にパーソナルコンピューターはそれぞれマイク入力特性、音源ボード特性等が異なっているためこれをそれぞれ校正する必要があるが、その方法を説明する。図７に本システムのブロック図を示した。ここで７０１は必要な音を選択する手段であり、選択した音を音ファイル７０３から呼び出し７０２の音源ボードなどの音発生手段で音を再生し７０５のスピーカーで音を出す。この音を音監視手段である７０６の音特性取得手段で取得する。音特性取得手段は図に示すように７１０の基準生成手段、７１１の音センサー、７１２の事前調整手段、７１３の出力手段から構成されている。ここで７０６の音特性取得手段は絶対音圧が必要なため７１２の事前調整手段で音センサーの感度を調整し校正しておく。次にこの音センサーの取得データを図６の場合のマイク入力部などの音信号入力手段７０７で取得し、７０４の入力音と基準音を比較し調整を行う。そして必要に応じて調整が必要な校正データを７０８の校データ記憶手段において記憶しておき実際の検査・測定時に必要な校正データ呼び出して調整を行う。
【００６１】
次にパーソナルコンピューターにおけるマイク入力等の入力特性が異なるためこれを校正する方法を説明するが、その様子を図８に示した。ここで７０６の音特性取得手段に内蔵された図７の７１０の基準信号生成手段により通常は９４ｄＢを示す基準信号を８０１で生成し、出力手段７１３において出力しパーソナルコンピューターのマイク入力である図７の７０７において基準信号を８０２において取得する。次に図７の入力音、７０４の基準音比較調整手段に８０３で入力し８０４においてこの信号を９４ｄＢの基準音圧として認識し、８０５において図７の７０８の校正データ記憶手段に基準音圧として登録する。これでそれぞれのパーソナルコンピューターのマイク入力特性を一定にする校正をするが、この基準信号発生はパーソナルコンピューターからＵＳＢなどのポートを通して基準信号の生成指示を出してもよく、あるいは図７の音特性取得手段の７１０の基準信号生成手段に起動ボタンをつけておき同時にパーソナルコンピューターにマイク入力特性校正手段モードを設けておきこのマイク入力特性校正手段モードを呼び出し、基準信号生成手段起動ボタンを押して校正してもよい。
【００６２】
次にパーソナルコンピューターによって音源ボードの特性や、スピーカーの位置が異なるため音源ボード特性、スピーカー位置補正等の校正を行う必要がある。そのフローの例を図９に示したがもちろんパーソナルコンピューターに限られるものではない。図7の701において音ファイル７０３から１０００Ｈｚ９４ｄＢの音信号を呼び出し９０１のパーソナルコンピューターにおいてこの１０００Ｈｚ９４ｄＢといった基準信号を生成し図７の音源ボード等の７０２に音声発生手段において９０２に示すように生成した基準信号をで再生し図７の７０５のスピーカーで９０２に示すように出力する。次に図1の１０４の音特性取得手段（図7の７０３）により９０３で信号データ取得しパーソナルコンピューターのマイク入力等の図７の音信号入力手段により９０４において信号データを取得する。９０５においてこの取得した信号データとＰＣにおいて基準信号を発生した信号データとを比較し基準信号との差が規定値以内かを判定し規定値以内であれば校正を終了し規定値以上であれば校正（音量調整）を行い、校正終了まで繰り返す。そして必要に応じて図７の校正データ登録手段７０８に登録しておけばよい。
【００６３】
本実施例においてはスピーカー出力の場合の例である。また本実施例ではパーソナルコンピューターのマイク入力部を使用した校正であるがこれに限られるものではなく、例えば図７の基準信号生成手段、事前調整手段を含む音特性取得手段をＡＤコンバーター等を使いデジタル化してデジタルデータでパーソナルコンピューター等と通信してもよい。
【００６４】
本実施例では音量調整のみの例を示したがこれに限られるものではなく周波数についての校正も必要に応じて行えばよい。また所定の周波数・音圧の音は音声ファイルとしてパソコンに格納しておけばよい。本実施例ではパーソナルコンピューター内において所定の周波数・音圧を生成したがこれに限られるものではなくパーソナルコンピューターの外部に所定の周波数・音圧を生成する装置を設けておきパーソナルコンピューターコンピューターでコントロールしてもよい。その場合でも耳穴近傍に音特性取得手段を設けておきフィードバック制御を行えばよい。また本実施例ではスピーカーを使ったが、ヘッドフォン、イヤホンを使ってもよくその場合同様に耳穴近傍に音特性取得手段を設けておけばよい。
【００６５】
次にパーソナルコンピューターを使った場合に被験者データの蓄積に関する説明を行うが、その様子を図１０に示した。１００１において被験者の入力を行い、１００２において被験者のデータを検索し１００３において過去のデータがないすなわち被験者登録がない場合は新たに１００４において新たな被験者データベースを登録する。過去のデータがない場合には１００６において被験者ＤＢ１００５から呼び出す。そして該当データベースに被験者の聴力検査を実施し実施した新たなデータを登録すればよい。図１１に被験者Ａの２００６年９月１０日のデータの様子を示した。
【００６６】
図１２はパーソナルコンピューターによる操作の様子を示したが１２１０はパーソナルコンピューター画面であり、所定の周波数・音圧を選択する画面を示している。「１０００Ｈｚ・４０ｄＢ」を選ぶ際は１２０１のボタン１を選択す、同様に「１０００Ｈｚ・５０ｄＢ」を選ぶ際は１２０２のボタン２を選択、「１０００Ｈｚ・６０ｄＢ」を選ぶ際は１２０３のボタン３を選択、「１０００Ｈｚ・７０ｄＢ」を選ぶ際は１２０４のボタン４を選択すればよい。この場合マウスで選択してもよくあるいは、画面上のタッチパネルを選択してもよい。
【００６７】
次に本発明の実施例の各実施形態について説明する。図１３はパーソナルコンピューターと所定の周波数・音圧を生成し専用のヘッドフォンで聴力検査をする装置である。専用ヘッドフォンに音を出力する場合には例えば例えばラウドネス曲線に基づいてウエイトをかけて出力すればよい。ここでヘッドフォンに限られる物ではなく気導受話器、インサートイヤホンなどを用いてもよい。ここで１３０２はパーソナルコンピューターであり、１３０１はディスプレー１３０３はキーボード、１３０４はマウスである。１３０１のディスプレー上に図１０のような画面を表示し操作者が選択した所定の周波数・音圧の音を１３０７において所定の周波数・音圧として発生し聞こえの判定をする専用装置であり専用のヘッドフォン１３０６で聴力検査を行い１２０８において聞こえの判定をしている図である。パーソナルコンピューターと１３０７の専用装置はＵＳＢといった通信手段で接続され聴力検査をパーソナルコンピューターから制御し行えばよい。ここではパーソナルコンピューターはキーボード、マウスで操作してもよくあるいは必要に応じてディスプレー上のタッチパネルで操作してもよい。またインターネットを介して遠隔地から操作を行い聴力測定してもよい。
【００６８】
図１４はパーソナルコンピューター１４０２において所定の周波数・音圧を生成しスピーカー１４０６で音を再生する場合である。１４０５は図１の１０４の音特性取得手段であり１４０１のディスプレー上に図１２のような画面を表示し操作者が選択した所定の周波数・音圧の音を１４０２のパーソナルコンピューターで再生しスピーカー１４０６において再生する。その際１４０５の音特性取得手段により再生した音をモニターしフィードバック制御を行う。被検者は音が聞こえたかどうかを１４０７の判定器で判定すればよい。その結果はパーソナルコンピューターで取り込み蓄積すればよい。ここで１４０２はパーソナルコンピューターであり、１４０１はディスプレー１４０３はキーボード、１４０４はマウスである。ここではパーソナルコンピューターはキーボード、マウスで操作してもよくあるいは必要に応じてディスプレー上のタッチパネルで操作してもよい。またディスプレーに音圧を画像表示し目視で表示するようにすればよい。本例ではスピーカーを使っているが、これに限られるものではなく耳穴の近傍に音特性取得手段を設置したヘッドフォンでもよい。この場合も先ほどと同様に例えばラウドネス曲線に基づいてウエイトをかけて出力すればよい。
【００６９】
図１５はパーソナルコンピューター１５０２において所定の周波数・音圧を生成し専用ヘッドフォン１５０６で音を再生する場合である。ここで専用ヘッドフォン１５０６は所定周波数・音圧発信機能を有しておりパーソナルコンピューターの１５０１のディスプレー上に図１０のような画面を表示し操作者が選択した所定の周波数・音圧の音を１５０２のパーソナルコンピューターから所定信号を専用ヘッドフォン１５０６に送信し所定周波数・音圧を専用ヘッドフォンで再生する。パーソナルコンピューター１５０２と専用ヘッドフォン１５０６はＵＳＢなどの通信手段で信号を送ればよい。被検者は音が聞こえたかどうかを１５０７の判定器で判定すればよい。その結果はパーソナルコンピューターで取り込み蓄積すればよい。ここで１５０２はパーソナルコンピューターであり、１５０１はディスプレー１５０３はキーボード、１５０４はマウスである。ここではパーソナルコンピューターはキーボード、マウスで操作してもよくあるいは必要に応じてディスプレー上のタッチパネルで操作してもよい。この場合も先ほどと同様に例えばラウドネス曲線に基づいてウエイトをかけて出力すればよい。同様にインターネットを介して遠隔地から操作を行い聴力測定してもよい。
【００７０】
図１６は所定の周波数・音圧を生成しスピーカーで生成する装置１６０６とパーソナルコンピューター１６０２接続して聴力測定する方法である。１６０５は図１の１０４の音特性取得手段であり１６０１のディスプレー上に図１０のような画面を表示し操作者が選択した所定の周波数・音圧の音を１６０２のパーソナルコンピューターから通信で装置１６０６に送信する。１６０６は信号を基に所定の周波数・音圧で再生しスピーカーにより再生する。その際１６０５の音特性取得手段により再生した音をモニターしフィードバック制御を行う。被検者は音が聞こえたかどうかを１６０７の判定器で判定すればよい。その結果は装置１６０６を通じてパーソナルコンピューターで取り込み蓄積すればよい。ここで１６０２はパーソナルコンピューターであり、１６０１はディスプレー１６０３はキーボード、１６０４はマウスである。ここではパーソナルコンピューターはキーボード、マウスで操作してもよくあるいは必要に応じてディスプレー上のタッチパネルで操作してもよい。本例ではスピーカーを使っているが、これに限られるものではなく耳穴の近傍に音特性取得手段を設置したヘッドフォンでもよい。この場合も先ほどと同様に例えばラウドネス曲線に基づいてウエイトをかけて出力すればよい。この場合もヘッドフォンに限られる物ではなく気導受話器、インサートイヤホンなどを用いてもよい。
【００７１】
図１７は所定の周波数・音圧を生成する専用装置１７０６と専用ヘッドフォン１７０５から構成されパーソナルコンピューター１７０２接続して聴力測定する方法である。１７０１のディスプレー上に図１０のような画面を表示し操作者が選択した所定の周波数・音圧の音を１７０２のパーソナルコンピューターから通信で装置１４０６に送信する。１７０６所定の周波数・音圧の音信号を専用ヘッドフォン１７０５により再生する。この場合も先ほどと同様に例えばラウドネス曲線に基づいてウエイトをかけて出力すればよい。パーソナルコンピューター１７０２と専用装置１７０６はＵＳＢなどの通信によって接続しパーソナルコンピューターから指令し被検者は音が聞こえたかどうかを１７０７の判定器で判定すればよい。その結果は専用装置１７０６を通じてパーソナルコンピューター１７０２で取り込み蓄積すればよい。ここで１７０２はパーソナルコンピューターであり、１７０１はディスプレー１７０３はキーボード、１７０４はマウスである。ここではパーソナルコンピューターはキーボード、マウスで操作してもよくあるいは必要に応じてディスプレー上のタッチパネルで操作してもよい。ここでもインターネットを介して遠隔地から操作を行い聴力測定してもよい。
【００７２】
次に予め耳場所となる位置での音場の調整を行い、後に被験者が該当場所に耳を設置する場合の例を示すが図１８にその様子を示した。１８０１は所定の周波数・音圧を発生する装置であり、１８０５は該当の音を発生するスピーカーである。（ａ）では被験者の耳がくる位置にセンサースタンド１８０３により１８０２の音特性取得手段を設置する。この場合の音特性取得手段は図７の７０６と同様にすなわち音特性取得手段は図７に示すように７１０の基準生成手段、７１１の音センサー、７１２の事前調整手段、７１３の出力手段から構成されているようにし、ここで７０６の音特性取得手段は絶対音圧が必要なため７１２の事前調整手段で音センサーの感度を調整し校正しておき先ほどの実施例と同様の校正を行えばよい。
【００７３】
この場合例えばスピーカーの位置と被験者の耳の位置とかボリューム等の調整量とかが各場合に異なっているため常に一定の音を出すことはできないため音の校正をする必要があるがそのフローを図１９に示した。まず１９０１で被検者の耳穴の位置に音特性取得手段を設置し、１９０２において所定の周波数・音圧から校正される基準信号を発生させ、その基準信号による音を図１６の１６０５のスピーカーから出力する。１９０３において図１８の（ａ）の１８０２の音特性取得手段で音の収録を行い１９０４でこの収集した音データを図１８の１８０１に送信する。この送信されたデータを１９０５において所定周波数・音圧（基準信号）と比較する。１９０６において基準信号との差が規定値以内かどうか判定し、規定値からはずれていたら１９０７の基準値になるように調整を行うがこの時調整値を記憶しておく。この１９０７から１９０６のプロセスを繰り返し規定値以内に入るまで繰り返す。そして規定値以内に入ったら１９０７において調整データを蓄積する。
【００７４】
本例では図１８の１８０１から基準音を発生し校正を行ったがこれに限られるものではなく、例えば音特性取得手段に基準信号発生手段を設けておきその基準信号によって校正してもよい。
【００７５】
次に実際に聴力測定のばあいについて説明するが、その時の様子は図１８の（ｂ）に示したここで１８０３は被験者であり１８０４は聞こえたかどうかの判定器である。そのフローは図２０に示したが２００１において図１８の（ａ）の１８０２を取り外し被験者を該当の位置にせってする。次に２００２において該当場所の調整蓄積データを呼び出し該当位置の調整を行う設定とする。そして２００３において所定の周波数・音圧を発生し、２００４で聴力測定を行う。
【００７６】
本実施例では単独の装置で行ったが、これに限られるものではなく前述のようにパーソナルコンピューターを用いてもよい。その場合パーソナルコンピューターの音源ボード、マイク等を利用してもよくその方法は前述の実施例と同様に行えばよい。あるいは所定の周波数・音圧を発生する装置をパーソナルコンピューターとは別に設置し、パーソナルコンピューターと接続詞パーソナルコンピューターで操作してもよい。ここではパーソナルコンピューターはキーボード、マウスで操作してもよくあるいは必要に応じてディスプレー上のタッチパネルで操作してもよい。またインターネットを介して遠隔地から操作を行い聴力測定してもよい。
【図面の簡単な説明】
【００７７】
【図１】音特性取得手段を耳穴近傍に設置した状態
【図２】耳穴近傍のセンサーによる音制御のブロック図
【図３】制御のフロー
【図４】聴力測定の状態
【図５】聴力測定フロー
【図６】パーソナルコンピューターでの聴力測定の例
【図７】校正を含むシステムのブロック図
【図８】マイク入力特性校正方法のフロー
【図９】音源ボード、スピーカーの位置の校正
【図１０】被験者のデータ蓄積
【図１１】被験者Ａのデータ例
【図１２】周波数・音圧の選択画面例
【図１３】専用ヘッドホンによる聴力測定の例
【図１４】ＰＣによる所定音生成の聴力測定の例
【図１５】ＰＣによる専用ヘッドフォンの聴力測定の例
【図１６】専用音生成装置とＰＣを接続した聴力測定
【図１７】専用音装置と専用ヘッドフォンとＰＣを接続した聴力測定
【図１８】予め耳の場所での音の調整をした場所での聴力測定の例
【図１９】予め耳の位置となる場所での校正のプロセス
【図２０】実際の測定のプロセス
【図１】
2008125587.tif 000003
【図２】
2008125587.tif 000004
【図３】
2008125587.tif 000005
【図４】
2008125587.tif 000006
【図５】
2008125587.tif 000007
【図６】
2008125587.tif 000008
【図７】
2008125587.tif 000009
【図８】
2008125587.tif 000010
【図９】
2008125587.tif 000011
【図１０】
2008125587.tif 000012
【図１１】
2008125587.tif 000013
【図１２】
2008125587.tif 000014
【図１３】
2008125587.tif 000015
【図１４】
2008125587.tif 000016
【図１５】
2008125587.tif 000017
【図１６】
2008125587.tif 000018
【図１７】
2008125587.tif 000019
【図１８】
2008125587.tif 000020
【図１９】
2008125587.tif 000021
【図２０】
2008125587.tif 000022